(57)【特許請求の範囲】
【請求項１】
コマ画像が記録された画像コマを有する被露光媒体をスキャンしてスキャンデータを記憶手段に記憶するステップ、
記憶した前記スキャンデータに基づく前記被露光媒体のスキャン画像から前記コマ画像を切り出すように、前記スキャンデータから前記コマ画像に対応する画像データを取得するステップ、
取得した前記画像データに基づく前記コマ画像が一コマを満たすか否かを判断するステップ、および
前記コマ画像のサイズが一コマに満たない場合に、当該コマ画像の画像データに所望の画像データを付加して一コマの画像データを取得するステップを備える、写真処理方法。
【発明の詳細な説明】
【０００１】
【発明の属する技術分野】
この発明は、写真処理方法に関し、より特定的には画像情報が記録された画像コマを有する被露光媒体をスキャンして画像データを取得する写真処理方法に関する。
【０００２】
【従来の技術】
図４を参照して、従来、ネガフィルム１をスキャンして画像コマ２ａ〜２ｄ毎の画像データを取得するには、つぎのような方法が採られている。まず、スキャンするネガフィルム１のネガサイズが設定される。そして、ネガフィルム１の前端（図示せず）から後端３までがスキャンされ、画像コマと画像コマとの間の素抜け部４も含めた一本の帯状のスキャン画像のスキャンデータが取得される。
取得されたスキャン画像はモニタに表示される。モニタ上には、設定されたネガサイズに応じて、スキャン画像から画像コマ２ａ〜２ｄ毎のコマ画像を切り出すための切り出し位置が設定されている。また、各画像コマ２ａ〜２ｄのエッジが検出されることで各画像コマ２ａ〜２ｄが認識され、スキャン画像はモニタ上で一コマ分ずつ送られる。さらに、オペレータによって各画像コマ２ａ〜２ｄが順次モニタ上の切り出し位置に合うように確認および微調整される。そして、各画像コマ２ａ〜２ｄを切り出していくことによって、画像コマ２ａ〜２ｄ毎の画像データが取得される。
【０００３】
ところでたとえば、ネガフィルム１の中には、ネガフィルム１のカメラへのセットの仕方等によって、ネガフィルム１の後端部の画像コマ（以下、「最終コマ」ともいう）２ｄのサイズが一コマに満たないものがある。ここで、ネガフィルム１は、後端３が検出されるとそれ以上スキャンされず、スキャンデータが取り込まれないので、モニタ上でもスキャン画像を送ることができない。したがって、最終コマ２ｄが一コマに満たない場合、最終コマ２ｄの後端エッジ（ネガフィルム１の後端３）を基準にしてモニタ上の切り出し位置に位置合わせされてしまい、１つ前の画像コマ２ｃの一部や素抜け部４を含んだ範囲（図４において斜線で示す範囲）で切り出される。
【０００４】
【発明が解決しようとする課題】
しかしこれでは、最終コマ２ｄを切り出した画像データに、最終コマ２ｄには関係のない画像コマ２ｃや素抜け部４の画像データも含まれてしまい、取得される画像の見栄えが悪く好ましくない。
また、本来最終コマ２ｄと１つ前の画像コマ２ｃとは関係なく、最終コマ２ｄの画像データに隣の画像コマ２ｃの画像データを含めたくない場合があり、最終コマ２ｄの画像データの取得のために別の画像コマ２ｃを利用すべきではない。それゆえにこの発明の主たる目的は、一コマに満たない画像コマをスキャンした場合でも見栄えのよい画像の画像データを取得できる写真処理方法を提供することである。
【０００５】
【課題を解決するための手段】
上述の目的を達成するために、請求項１に記載の写真処理方法は、コマ画像が記録された画像コマを有する被露光媒体をスキャンしてスキャンデータを記憶手段に記憶するステップ、記憶したスキャンデータに基づく被露光媒体のスキャン画像からコマ画像を切り出すように、スキャンデータからコマ画像に対応する画像データを取得するステップ、取得した画像データに基づくコマ画像が一コマを満たすか否かを判断するステップ、およびコマ画像のサイズが一コマに満たない場合に、当該コマ画像の画像データに所望の画像データを付加して一コマの画像データを取得するステップを備える。
なお、この明細書において「一コマ」とは、ネガサイズのコマを意味する。
【０００６】
請求項１に記載の写真処理方法では、被露光媒体の画像コマのサイズが一コマに満たない場合に、その画像コマのコマ画像の画像データに所望の画像データを付加して一コマの画像データを取得するので、一コマに満たない画像コマをスキャンした場合でも見栄えのよい画像の画像データを取得できる。
【０００７】
【発明の実施の形態】
以下、図面を参照して、この発明の実施の形態について説明する。
図１を参照して、この発明の一実施形態の写真処理装置１０は、被露光媒体の一例であるネガフィルム１２がセットされ搬送されるフィルム搬送ユニット１４を含む。フィルム搬送ユニット１４は、ネガフィルム１２を位置決めするネガマスク１６と、ネガフィルム１２を搬送する搬送ローラ対１８と、搬送ローラ対１８を駆動させるパルスモータ２０とを含む。ネガフィルム１２は、搬送ローラ対１８で搬送されながらスキャンされる。
【０００８】
フィルム搬送ユニット１４の上方には、ネガフィルム１２に向けて垂直に光を発する光源２２が配置される。ネガフィルム１２に対して光源２２の反対側であって光源２２の発する光の光軸上に画像読み取り用のラインセンサ２４が配置される。ラインセンサ２４は、主走査方向すなわちネガフィルム１２の幅方向に一列に多数個配置されるＣＣＤ（Charge Coupled Device）素子を含む。ＣＣＤ素子の配列の長さ寸法は、ネガフィルム１２の幅寸法よりも若干大きく設定される。ネガフィルム１２とラインセンサ２４との間には投影用のレンズ２６が配置される。
【０００９】
フィルム搬送ユニット１４の搬送系、およびラインセンサ２４の制御は、搬送制御部２８で行われる。すなわち、搬送制御部２８はモータ制御部３０およびラインセンサドライバ３２を制御し、モータ制御部３０はパルスモータ２０を駆動制御し、ラインセンサドライバ３２はラインセンサ２４を駆動する。モータ制御部３０は、パルスモータ２０から出力されるパルスと基準パルスとを比較し、安定した回転数制御を行う。また、光源２２も搬送制御部２８で制御される。
【００１０】
ラインセンサ２４でネガフィルム１２の画像情報を読み取って得られた画素信号は、Ａ／Ｄ変換部３４でデジタルデータであるスキャンデータに変換され、画像処理部３６に入力される。画像処理部３６に入力されたスキャンデータは、対数圧縮変換等の処理を施された後、モニタ駆動部３８を介してＣＲＴ等のモニタ４０に入力される。これによって、ネガフィルム１２の画像情報に対応するスキャン画像がモニタ４０に表示される。
【００１１】
画像処理部３６で上述のような処理が施されたスキャンデータは、エッジ検出部４２にも入力され、エッジ検出部４２で各画像コマ４４ａ〜４４ｄ（図２参照）の前端エッジおよび後端エッジが検出される。エッジ検出部４２はたとえば、入力されたスキャンデータの短手方向の平均濃淡値を長手方向に微分し、その微分値が所定のしきい値以上になった位置をエッジとして検出する。
【００１２】
写真処理装置１０は、装置１０全体の制御を統括するシステム制御部４６をさらに含む。システム制御部４６は、ＣＰＵ４８およびメモリ５０を含む。メモリ５０にはたとえば、スキャンデータや後述するネガサイズ、および所望の画像データが記憶される。この画像データは、後述するように、画像コマ４４ａ〜４４ｄが一コマに満たない場合に、その不足する分をその画像コマ４４ａ〜４４ｄに付加して一コマの画像データを作成するために用いられる。
また、システム制御部４６には、キーボード５２およびマウス５４が接続される。キーボード５２やマウス５４を用いてたとえば、画像情報を読み取ろうとするネガフィルム１２のネガサイズがオペレータによって予め入力される。ここで、ネガサイズはネガフィルム１２の画像コマ４４ａ〜４４ｃのサイズをあらわす。
【００１３】
エッジ検出部４２で検出された前端エッジ検出信号、後端エッジ検出信号およびモータ制御部３０からのモータ駆動パルス信号は、ＣＰＵ４８に入力される。ＣＰＵ４８は、入力されたこれらの信号に基づき前端エッジと後端エッジとの距離（駆動パルス数に換算した値）を算出することでネガフィルム１のネガサイズを判定し、メモリ５０に記憶する。
【００１４】
システム制御部４６は、判定されたネガサイズに基づいてモニタ４０上のスキャン画像を一コマ分ずつ送る。また、モニタ４０の画面中には、各画像コマ４４ａ〜４４ｄを切り出すための切り出し位置が表示される。切り出し位置で切り出される範囲は、オペレータによって入力されたネガサイズに基づいて設定される。
システム制御部４６は、スキャン画像から画像コマごとにネガサイズ分のコマ画像を切り出し、切り出したコマ画像のうち目的とする画像コマ（図２でいえば、画像コマ４４ａ〜４４ｄのいずれか）のコマ画像が一コマを満たすか否かを判断する。すなわち、前端エッジと後端エッジとの距離を算出することで判定されたネガサイズと、オペレータによって入力設定されたネガサイズとが比較される。
【００１５】
一コマを満たす場合、システム制御部４６は、切り出したコマ画像の画像データをメモリ５０に記憶する。コマ画像はモニタ４０に表示され、さらにコマ画像の画像データはプリント処理部５６に出力される。プリント処理部５６では、入力された画像データに基づくコマ画像が印画紙にプリント処理される。
【００１６】
一コマに満たない場合、その不足する部分には、たとえば画像コマと画像コマとの間の素抜け部５８や隣の画像コマの画像が取り込まれてしまうので、その画像コマのサイズは設定されたネガサイズとは異なると判断され、所定のエラー画面が表示される。そして、システム制御部４６は、目的とする画像コマ４４ａ〜４４ｄの画像ではない部分の画像データを削除し、メモリ５０に記憶されている所望の画像データを削除した部分の代わりに付加する。この付加する画像データは、予めメモリ５０に記憶されるたとえばグレー（Ｒ，Ｂ，Ｇ＝１２８，１２８，１２８）など一色の画像や所望の模様が配された画像等の所望の画像データの中から予め決定される。そして、このような画像データが付加されて一コマを満たすようにされた状態でメモリ５０に記憶される。
【００１７】
また、従来の写真処理装置では、ネガフィルム１２の後端１２ａが検出されるとネガフィルム１２はそれ以上スキャンされずスキャンデータが取り込まれなかったが、写真処理装置１０では、ネガフィルム１２の後端１２ａを検出しても、ネガフィルム１２の有無に関係なく所定寸法分スキャンされる。これによって、最終コマ４４ｄが一コマに満たない場合でも、最終コマ４４ｄをモニタ４０画面上の切り出し位置に最終コマ４４ｄの前端エッジを基準にして位置合わせできる。
【００１８】
図３を参照して、写真処理装置１０の動作について説明する。
まず、画像データを取得しようとするネガフィルム１２のネガサイズが設定される（ステップＳ１）。つぎにネガフィルム１２が前端（図示せず）からスキャンされ（ステップＳ３）、素抜け部５８も含めた一本の帯状のスキャン画像が取得され、そのスキャンデータがメモリ５０に記憶される（ステップＳ５）。
【００１９】
そして、ステップＳ１で設定されたネガサイズに基づいてコマ画像がスキャン画像から切り出される（ステップＳ７）。切り出されたコマ画像のうち目的とする画像コマ４４ａ〜４４ｄのコマ画像の部分が一コマを満たすか否かが上述のようにして判断され（ステップＳ９）、一コマを満たす場合にはステップＳ１１に進み、一コマに満たない場合にはステップＳ１７に進む。
【００２０】
一コマを満たす場合、切り出されたコマ画像の画像データはメモリ５０に記憶され（ステップＳ１１）、コマ画像はモニタ４０に表示される（ステップＳ１３）。さらにコマ画像はプリント処理部５６で印画紙にプリント処理される（ステップＳ１５）。
【００２１】
一コマに満たない場合については、最終コマ４４ｄが一コマに満たない場合を示す図２を参照して説明する。たとえば、画像コマ４４ｄが一コマの２／３しかない場合、最終コマ４４ｄは前端エッジを基準として切り出し位置に位置合わせされ、図２の斜線部分が切り出され、不足する１／３の分のスキャン画像はネガフィルム１２が無いので黒い画像となる。このため、切り出したコマ画像のうち最終コマ４４ｄの画像の部分のサイズは設定されたネガサイズとは異なると判断され、所定のエラー画面が表示される。不足する１／３の黒い部分の画像の画像データは削除され、代わりに予め設定される一コマの１／３分の所望の画像データが付加される（ステップＳ１７）。所望の画像データが付加されて一コマ分のサイズとされた画像データはメモリ５０に記憶され（ステップＳ１１）、そのコマ画像はモニタ４０に表示される（ステップＳ１３）。さらにコマ画像はプリント処理部５６で印画紙にプリント処理される（ステップＳ１５）。
【００２２】
そして、先程切り出された画像コマ４４ｄが最終コマであるか否かが判断される（ステップＳ１９）。図２に示す場合には最終コマであるので処理は終了される。なお、最終コマでない場合には、スキャン画像は一コマ分送られ（ステップＳ２１）、ステップＳ７に戻る。
【００２３】
写真処理装置１０によれば、ネガフィルム１２の画像コマ４４ａ〜４４ｄのサイズが一コマに満たない場合に、切り出したコマ画像のうち目的とする画像コマとは関係のない画像の画像データを削除し、削除した部分の代わりに所望の画像データを付加して一コマの画像データを取得するので、一コマに満たない画像コマをスキャンした場合でも見栄えのよいコマ画像の画像データを取得できる。したがって、目的とする画像コマとは関係のない画像の部分をたとえば所望の色の画像にすることができる。
また、写真処理装置１０では、画像コマ４４ｄに関係のない画像コマ４４ｃを利用することなく画像コマ４４ｄの画像データを取得できるので、画像コマ４４ｄの画像データに隣の画像コマ４４ｃの画像データを含めたくない場合に有効である。
【００２４】
なお、ネガフィルム１２の前端部の画像コマが一コマに満たない場合や、前端部や後端部の画像コマ以外の画像コマが一コマに満たない場合も、不足する部分にはその画像コマには関係のない画像が取り込まれてしまうが、上述の最終コマ４４ｄが一コマに満たない場合と同様に、関係のない画像は削除され代わりに所望の画像が付加される。したがって、最終コマ４４ｄが一コマに満たない場合と同様の効果が得られる。
【００２５】
また、通常一コマに満たない画像コマは最終コマに発生することが多いので、ステップＳ３でネガフィルム１２をスキャンした後、ステップＳ５でそのスキャンデータをメモリ５０に記憶する際に、一コマのサイズまたは一コマの１／２のサイズなど大きめの所望の画像データを、画一的にスキャンデータの最終コマ４４ｄ側に付加しておくようにしてもよい。この場合、ステップＳ７でコマ画像を切り出すときに、設定されたネガサイズに切り出される。
さらに、取得されたコマ画像の画像データは、ハードディスクやＣＤ−Ｒ／ＲＷ等に格納されてもよい。
また、被露光媒体は、ポジフィルムであってもよい。
【００２６】
【発明の効果】
この発明によれば、一コマに満たない画像コマをスキャンした場合でも見栄えのよい画像の画像データを取得できる。
【図面の簡単な説明】
【図１】この発明の一実施形態を示すブロック図である。
【図２】一コマに満たない最終コマを切り出す場合の範囲を示す図解図である。
【図３】この発明の一実施形態の動作の一例を示すフロー図である。
【図４】一コマに満たない最終コマを切り出す場合の従来の範囲を示す図解図である。
【符号の説明】
１０      写真処理装置
１２      ネガフィルム
１２ａ      ネガフィルムの後端
１８      搬送ローラ対
２０      パルスモータ
２２      光源
２４      ラインセンサ
４２      エッジ検出部
４４ａ〜４４ｄ      画像コマ
４６      システム制御部
４８      ＣＰＵ
５０      メモリ
【図１】
0003719214.tif 000002
【図２】
0003719214.tif 000003
【図３】
0003719214.tif 000004
【図４】
0003719214.tif 000005